(57)【特許請求の範囲】
【請求項１】
第１の多角形輪郭を有する吸水シートを保持する吸水シート保持マットであって、
互いに対向する第１の主面と第２の主面とで規定される、第２の多角形輪郭を有するマット部と、
上面に、前記吸水シートの周辺部の一部が挿入される少なくとも２本のスリットを有するスリット部が前記第２の主面より第１の所定の高さに形成されている、少なくとも１つの保持部とを備え、前記吸水シートは前記第１の主面の上に載置され、
前記保持部の前記上面に、隣接する２本のスリットの間に延在する少なくとも１本の溝を有する溝部がさらに形成されていることを特徴とする吸水シート保持マット。
【請求項２】
前記溝部は、前記保持部の前記上面において、前記マット部の求心側に位置することを特徴とする、請求項１に記載の吸水シート保持マット。
【請求項３】
前記保持部が隣接する前記第２の多角形輪郭の互いに所定の角度θで交差する連続する２辺をそれぞれ、第１の辺及び第２の辺とすると、
前記溝部の中心点と前記スリット部の中心とを結ぶ線分が前記第１の辺及び前記第２の辺に対してなす角度は０°〜θ°の範囲であることを特徴とする、請求項１及び請求項２の何れか一項に記載の吸水シート保持マット。
【請求項４】
第１の多角形輪郭を有する吸水シートを保持する吸水シート保持マットであって、
互いに対向する第１の主面と第２の主面とで規定される、第２の多角形輪郭を有するマット部と、
上面に、前記吸水シートの周辺部の一部が挿入される少なくとも１本のスリットを有するスリット部が前記第２の主面より第１の所定の高さに形成されている、少なくとも１つの保持部とを備え、前記吸水シートは前記第１の主面の上に載置され、
前記マット部は、前記第２の主面から概ね垂直方向に前記第１の所定の高さより低い第２の所定の高さだけ立ちあがる少なくとも１つの第１の突条をさらに備えることを特徴とする吸水シート保持マット。
【請求項５】
前記マット部は、前記第２の主面から概ね垂直方向に前記第１の所定の高さより低い第２の所定の高さだけ立ちあがり、前記第１の突条に対して所定の角度で交差する少なくとも１つの第２の突条をさらに備える、請求項４に記載の吸水シート保持マット。
【発明の詳細な説明】
【技術分野】
【０００１】
本発明は、吸水シートの保持に用いられる吸水シート保持マットに関し、より特定的には、ペット用の吸水シートの保持に用いられる、ペット用吸水シート保持マットに関する。
【背景技術】
【０００２】
屋内で液体を扱う際に、床や机など水を嫌う物に水が掛かってしまうのを防ぐ目的で、通常、水を吸収するシート（以下、「吸水シート」）が敷かれる。しかしながら、吸収すべき水量が吸水シートの吸水能力を超えたり、吸水シートが移動してしまったりすると、目的を果たすことができない。吸水シートが移動するような代表的な例として、ペットに食事を与えたり、ペットに排泄させたりする場合に、ペットが吸水シートを動かしてしまうことを挙げることができる。また、ペットが吸水シートを破損させてしまったりすれば、水量が吸水シートの能力を超えるのと同様の事態になる。この問題に対応するペット用トイレマットとして、特許文献１及び特許文献２に提案されているペット用トイレマットを挙げることができる。【０００３】
図１６及び図１７に示すように、特許文献１のペット用トイレマットは、その上面にペット用トイレシートを載置して使用される。ペット用トイレマット１００１は、略矩形状の本体と、ペット用トイレシート１００２を本体に保持するための一対の固定具１０１１ａ、１０１１ｂとを含む。本体は、好ましくは撥水性を有し、耐久性が優れ、且つ携帯の便を図るべく変形が容易な素材で構成される。本体はマグネット１１２を備え、固定具１０１１ａ、１０１１ｂはマグネット１１１を備えている。【０００４】
ペット用トイレマット１００１へのペット用トイレシート１００２の取り付けは、以下の要領で行われる。本体の上面にペット用トイレシート（以降、「トイレシート」）１００２を敷いた後に、マグネット１１１がマグネット１１２の上部にくるように、固定具１０１１ａ、１０１１ｂをトイレシート１００２の上に位置決めする。そして、その状態で固定具１０１１ａ、１０１１ｂを本体上に下ろし、マグネット１１１とマグネット１１２とを結合させる。そして、トイレシート１００２は、マグネット１１１とマグネット１１２との間に働く磁力（結合力）により、トイレシート１００２とマグネット１１１とマグネット１１２との間に生じる摩擦力によって固定されてペット用トイレマット１００１に保持される。トイレシート１００２を取り外す際は、固定具１０１１ａ、１０１１ｂを本体から取り外した後に、トイレシート１００２を本体から取り外す。【０００５】
マグネット１１１、１１２を用いない場合には、固定具１０１１ａ、１０１１ｂの重量により、トイレシート１００２と固定具１０１１ａ、１０１１ｂとの間に生じる摩擦力によってトイレシート１００２はペット用トイレマット１００１に固定される。この場合、ペットの動作によるトイレシート１００２のズレを防止するためには、トイレシート１００２の固定力を増すために、固定具１０１１ａ、１０１１ｂの重量を増して摩擦力を増大させる。なお、マグネット１１１、１１２を用いる場合には、マグネットの磁力を増して摩擦力を増大させる。【０００６】
図１８に示すように、特許文献２のペット用トイレマット２００１（不図示）は、特許文献１のペット用トイレマットと同様にその上面にペット用トイレシートを載置して使用される。ペット用トイレマット２００１は、少なくとも４個の基板２００２で構成される。基板２００２は、平面形状が長方形状の天板２００３と天板２００３の外周縁において天板２００３の下面側に突出して垂設されている周壁２００４ａ〜２００４ｄとを含み、天板２００３の上面にトイレシートを載置して保持する基盤として合成樹脂により構成されている。【０００７】
天板２００３の上面の四隅に穿たれた長円形断面を有する円筒形状の取付穴２００９のそれぞれにシート止め具２０１０が嵌入されている。天板２００３の各対角線上に位置する２個の長円形のシート止め具２０１０は、その長円形の直線部が互いに対向する。シート止め具２０１０には、上面から下面に渡って切り込み部２０１１ａが形成されている。天板２００３の上面に載置されたトイレシートは、その４つの角部のそれぞれが、切り込み部２０１１ａに挿入されることによって、基板２００２上に保持される。【０００８】
また、周壁２００４ａ〜２００４ｄに設けられた第１の連結部２００５或いは第２の連結部２００６を、別の基板２００２の周壁２００４ａ〜２００４ｄに設けられた第１の連結部２００５或いは第２の連結部２００６と勘合させることによって、４枚の基板２００２からなるペット用トイレマット２００１（不図示）が形成される。なお、４個の基板２００２からなるペット用トイレマット２００１上に存在する１６個のシート止め具２０１０の最外縁部に位置する４個のシート止め具２０１０（切り込み部２０１１ａ）によって、ペット用トイレマット２００１の上に載置されたトイレシートは保持される。
【先行技術文献】
【特許文献】
【０００９】
【特許文献１】特開２００７−１１０９２９号公報
【特許文献２】登録実用新案第３０６８９０６号公報
【発明の概要】
【発明が解決しようとする課題】
【００１０】
特許文献１が開示するペット用トイレマットは、トイレマットにトイレシートを着脱する度に、固定具の取り外し及び取り付けを行う必要がある。また、固定具はトイレマットの本体とは別体であって、トイレマットの使用時はトイレシートの上に置かれる。そのため、固定具がペットの排泄物で汚れる可能性があり、固定具の洗浄が必要となる。また、固定具はトイレマットの本体とは別体であるので、トイレシートの交換や固定具を洗浄する際に紛失するおそれもある。【００１１】
さらに、固定具とトイレマットの本体とを位置決めする手段としてマグネットを用いているが、トイレマット本体側のマグネットはトイレシートの下に配置されているので、固定具の取り付け時に作業者が視認することができない。その上、トイレシートの大きさは、トイレマット本体側のマグネット間の距離よりも大きくなければ、固定具によってトイレマットに固定することができず、使用できるトイレシートのサイズに制約がある。【００１２】
また、ズレ防止の為には固定具を重くするか、マグネットを強化する必要がある。固定具の重量化は、トイレマットの携帯性を損なうと共に、脱着作業による作業者に掛かる負荷を増大させてしまう。一方、重量の増加を伴わないマグネットの強化はトイレマットの携帯性は損なわないものの、強力な磁力により固定具の脱着作業負荷が増大すると共に周囲の磁性体製品への影響の考慮が要求される。【００１３】
特許文献２が開示するペット用トイレマットにおいては、基板或いはトイレマットの四隅のシート止め具に形成された切り込み部に、シートの角が挿入されて保持される。そのために、保持されたシートの外周縁は天板（基板或いはトイレマット）上に浮いた状態で位置する。つまり、シートの外周縁は切り込み部に挿入されている部分を除けば、天板（基板或いはトイレマット）との間に外部に向かって開口している隙間を有する。そのために、ペットが保持されたシート上に乗ったり、動いたりする時に、ペットが足や口などで外周縁を引っかけてしまい、シートがずれたり切り込み部から抜け出したりすることがある。【００１４】
本発明は、このような問題点に鑑み、吸水シートを容易に且つ確実に保持できる吸水シート保持マットを提供することを目的とする。
【課題を解決するための手段】
【００１５】
上記の目的を達成するために、本発明の吸水シート保持マットは、第１の多角形輪郭を有する吸水シートを保持する吸水シート保持マットであって、互いに対向する第１の主面と第２の主面とで規定される、第２の多角形輪郭を有するマット部と、上面に、前記吸水シートの周辺部の一部が挿入される少なくとも２本のスリットを有するスリット部が前記第２の主面より第１の所定の高さに形成されている、少なくとも１つの保持部とを備え、前記吸水シートは前記第１の主面の上に載置され、前記保持部の前記上面に、隣接する２本のスリットの間に延在する少なくとも１本の溝を有する溝部がさらに形成されていることを特徴とする。
【発明の効果】
【００１６】
本発明は、吸水シートを容易に且つ確実に保持できる吸水シート保持マットを実現できる。
【図面の簡単な説明】
【００１７】
【図１】本発明の実施の形態１に係る吸水シート保持マットの使用時の状態を示す斜視図である。
【図２】図１に示す吸水シート保持マットの斜視図である。
【図３】図２に示す吸水シート保持マットの保持部の一例を示す平面図である。
【図４】図３に示す保持部の断面構造を示す図である。
【図５】図１に示す吸水シート保持マットがキャリー内に載置された状態を示す斜視図である。
【図６】図３に示す保持部の第１の変形例を示す平面図である。
【図７】図３に示す保持部の第２の変形例を示す平面図である。
【図８】図３に示す保持部の第３の変形例を示す斜視図である。
【図９】図３に示す保持部の第４の変形例を示す斜視図である。
【図１０】図９に示す保持部の断面構造を示す図である。
【図１１】本発明の実施の形態２に係る吸水シート保持マットの斜視図である。
【図１２】本発明の実施の形態３に係る吸水シート保持マットの斜視図である。
【図１３】本発明の実施の形態４に係る吸水シート保持マットの斜視図である。
【図１４】図１３に示す吸水シート保持マットの断面構造を示す図である。
【図１５】図１３に示す吸水シート保持マットの、設置された状態での断面図である。
【図１６】特許文献１に提案されているペット用トイレマットの平面図である。
【図１７】図１６において、直線１７−１７で切ったペット用トイレマットの断面図である。
【図１８】特許文献２に提案されているペット用トイレマットの斜視図である。
【発明を実施するための形態】
【００１８】
（実施の形態１）
以下に図１、図２、図３、図４、図５、図６、図７、図８、図９、及び図１０を参照して、本発明の実施の形態１に係る吸水シート保持マットについて説明する。
まず図１を参照して本発明の技術的概念について説明する。所定の多角形輪郭を有する吸水シートを容易に且つ確実に保持できることを目的とする、本発明に係る吸水シート保持マットＭ１は、吸水シートＳａ１が載置される面Ｓｔ（以降、「載置面Ｓｔ」）を有するマット部Ｐｍ１と、吸水シートＳａ１を保持する保持部Ｐｒ１とを有する。
【００１９】
マット部Ｐｍ１は所定の多角形輪郭を有すると共に、載置面Ｓｔ（図２）を第１の主面とし、載置面Ｓｔに所定距離ｔ１だけ離れて対向する第２の主面Ｓｂとにより規定される厚さｔ１を有する平板状に形成されている。マット部Ｐｍ１の第２の主面Ｓｂ（以降、「設置面Ｓｂ」）は、吸水シート保持マットＭ１を設置する場所に接する面である。保持部Ｐｒ１は、所定の高さｔ２を有するブロック状に形成されており、設置面Ｓｂ上に１つ以上設けられている。載置面Ｓｔより所定の距離ｔ３（ｔ３＝ｔ１＋ｔ２）の高さにある保持部Ｐｒ１の上面には、切り込みＳ（スリット部Ｓ）が設けられている。
【００２０】
吸水シートＳａ１の吸水シート保持マットＭ１への取り付けは、以下の手順で行われる。吸水シートＳａ１を載置面Ｓｔに対向するように配置し、吸水シートＳａ１の端部Ｅｓａをマット部Ｐｍ１の外縁を巻くように折り曲げて、吸水シートＳａ１の端部Ｅｓａを設置面Ｓｂに対向させる。その後、吸水シートＳａ１の端部Ｅｓａの少なくとも一部を保持部Ｐｒ１の切り込みＳに挿入する。吸水シートＳａ１が取り付けられた吸水シート保持マットＭ１は、設置面Ｓｂが床等の吸水シート保持マットＭ１が置かれる場所に接するように設置されて使用される。吸水シートＳａ１の構成については後ほど説明する。
【００２１】
なお、図１においては、吸水シートＳａ１及びマット部Ｐｍ１は矩形状に表現されているが、それぞれ任意の形状であってもよい。マット部Ｐｍ１の外形状は、吸水シートＳａ１の外形状より小さく構成される。なお、保持部Ｐｒ１は、設置面Ｓｂ上に、マット部Ｐｍ１の外縁と、保持部Ｐｒ１の外縁の一部が一致するように設けられている。
【００２２】
上述のように、吸水シート保持マットＭ１においては、上面に切り込みＳが設けられた保持部Ｐｒ１（固定具）をマット部Ｐｍ１（ペット用トイレマット）と別体とせずに、マット部Ｐｍ１の設置面Ｓｂ上に配設している。結果、吸水シートＳａ１の着脱の度に、保持部Ｐｒ１を取り外し及び取り付ける作業を不要とすると共に、洗浄の際に保持部Ｐｒ１の紛失のおそれを無くしている。吸水シートＳａ１の保持は、保持部Ｐｒ１の上面の切り込みＳに吸水シートＳａ１の一部を挿入することにより行われるので、切り込みＳと吸水シートＳａ１の挿入部の両方を目視で容易に確認しながら、吸水シートＳａ１の保持（挿入）作業を容易にかつ確実に行える。
【００２３】
また、吸水シートＳａ１は、その端部Ｅｓａが設置面Ｓｂと吸水シート保持マットＭ１が設置される場所との間に挟まれて保持されると共に、切り込みＳが設けられた保持部Ｐｒ１の上面との摩擦及び噛み込みによって保持される。ペットが吸水シートＳａ１の上で動いたり吸水シートＳａ１を引っ張ったりしても、吸水シートＳａ１の端部Ｅｓａに働く力は鉛直方向の力ではなく、載置面Ｓｔ及び設置面Ｓｂに略平行で且つ互いに反対の方向の力である。
【００２４】
詳しく言えば、吸水シートＳａ１は、吸水シート保持マットＭ１の縁部で折り返されているので、たとえばペットが吸水シートＳａ１を吸水シート保持マットＭ１の中心側に引いた場合には、吸水シートＳａ１は載置面Ｓｔ上では中心側に移動しようとするが、設置面Ｓｂ側で遠心側に移動しようとする。吸水シートＳａ１は吸水シート保持マットＭ１の外周縁で折り返されているので、吸水シートＳａ１の動きは折り返し部で反転する。つまり、折り返し部で吸水シートＳａ１に掛かる力の方向が逆転する。そのために、折り返し部での吸水シート保持マットＭ１と吸水シートＳａ１との間には大きな摩擦力が働く。
【００２５】
さらに、吸水シートＳａ１の端部Ｅｓａには吸水シート保持マットＭ１の重量及びペットの体重が、吸水シート保持マットＭ１の設置面Ｓｂの外縁部（主に保持部Ｐｒ１）に働いて吸水シートＳａ１の端部Ｅｓａを吸水シート保持マットＭ１が設置される場所に対して押しつけるように作用する。
【００２６】
上述のように、折り返し部による吸水シートＳａ１の移動方向の逆転及び摩擦力に加えて、吸水シート保持マットＭ１の設置面Ｓｂの外縁部（主に保持部Ｐｒ１）による押しつけ力が合わさって、吸水シートＳａ１が保持部Ｐｒ１から抜け出すのを防止する抵抗力として働く。
従って、吸水シート保持マットＭ１には、保持力確保のための固定具の重量化や磁力強化が不要である。
【００２７】
マット部Ｐｍ１の大きさは、保持対象の吸水シートＳａ１の大きさより小さいので、保持する吸水シートＳａ１の最小のものよりマット部Ｐｍ１を小さく作成することにより、一つのマット部Ｐｍ１で全ての大きさの吸水シートＳａ１を保持できる。
【００２８】
なお、吸水シート保持マットＭ１は、防水性及び可撓性を有する素材で構成される。防水性は液体を通さない為に要求され、可撓性は吸水シート保持マットＭ１が設置される面の形状に沿って変形して安定的に吸水シートＳａ１の保持を図るために要求される性質である。吸水シート保持マットＭ１の素材はさらに、安全性及び耐食性を有することが好ましい。安全性は、上述の従来のペット用トイレマットと同じ用途に用いた場合に、ペットが嘗める場合を考慮したものである。耐食性も触れる液体（例えば、ペットの尿など）に耐える必要があるからである。なお、本実施の形態において、吸水シート保持マットＭ１はシリコンゴムで構成されている。
【００２９】
吸水シートＳａ１は、吸水に供される領域（以下、「吸水エリア」）Ｓｐａとシート縁部Ｓｐｒとを含む。吸水エリアＳｐａは、吸水シートＳａ１の輪郭より小さい所定の多角形輪郭を有し、吸水シートＳａ１のほぼ中央部に設けられている。シート縁部Ｓｐｒの幅、つまり吸水エリアＳｐａから吸水シートＳａ１の外縁までの距離をシート縁幅Ｌｐｒとする。本実施の形態においては、吸水エリアＳｐａは短辺と長辺とで規定される矩形状である。シート縁部Ｓｐｒは、吸水エリアＳｐａを囲むように設けられている。吸水シートＳａ１の表面は不織布等の液体を浸透させる素材で構成され、裏面はナイロンやビニール等の液体を浸透させない素材で構成される。吸水エリアＳｐａは、高分子ポリマー等の吸収材を含む。吸水エリアＳｐａは吸水シートＳａ１の外形に対してほぼ同心状に位置している。吸水シートＳａ１は４つの隅部Ｓｐｃを有する。
【００３０】
吸水シートＳａ１は市販のものを使用することができる。市販の吸水シートは、そのサイズによって２つに大別され、レギュラーサイズの吸水シートと、レギュラーサイズより大きいワイドサイズの吸水シートとがある。レギュラーサイズの吸水シートＳａ１の大きさ（外形）は、矩形状の短辺Ｌｓｓが３１０ｍｍ〜３３０ｍｍ、長辺Ｌｌｓが４４０ｍｍ〜４５０ｍｍ程度である。ワイドサイズの吸水シートＳａ１の大きさ（外形）は、矩形状の短辺Ｌｓｓが４３０ｍｍ〜４５０ｍｍ、長辺Ｌｌｓが５９０ｍｍ〜６００ｍｍ程度である。なお、シート縁部Ｓｐｒの幅Ｌｐｒは通常２０ｍｍ〜３０ｍｍ程度である。
【００３１】
保持部Ｐｒ１は、上述のように構成された吸水シートＳａ１がその裏面がマット部Ｐｍ１の載置面Ｓｔに接するように載置され、吸水シートＳａ１の端部Ｅｓａが設置面Ｓｂに対向するように折り曲げられた状態で、端部Ｅｓａをスリット部Ｓに挿入可能な位置に配設される。吸水シートＳａ１の端部Ｅｓａ、及び必要に応じて隅部Ｓｐｃをスリット部Ｓに挿入することにより、吸水シートＳａ１は吸水シート保持マットＭ１上に位置決めされて保持される。保持部Ｐｒ１は、設置面Ｓｂ上に、マット部Ｐｍ１の外縁と、保持部Ｐｒ１の外縁の一部が一致するように設けられることが好ましい。
【００３２】
なお、保持部Ｐｒ１は少なくとも１つあれば、吸水シートＳａ１を吸水シート保持マットＭ１上に保持することができるが、吸水シートＳａ１の端部Ｅｓａを確実に設置面Ｓｂと吸水シート保持マットＭ１が設置される場所との間に挟むためには、保持部Ｐｒ１が複数個設けられていることが好ましい。複数個の保持部Ｐｒ１は、マット部Ｐｍ１の互いに対向する辺に設けられることが好ましい。なお、保持部Ｐｒ１の上面には、上述のスリット部Ｓに加えて溝部Ｇｒ１が形成されている。保持部Ｐｒ１、スリット部Ｓ、及び溝部Ｇｒ１の形状について、後ほど図３及び図４を参照して詳述する。
【００３３】
次に、図１及び図２を参照して、吸水シートＳａ１の寸法とマット部Ｐｍ１の寸法との関係について述べる。本実施の形態において、マット部Ｐｍ１の外形状は吸水シートＳａ１の外形状より小さく構成される。つまり、マット部Ｐｍ１の短辺Ｌｓｍ（外径）及び長辺Ｌｌｍ（外径）について、下記の数式（１）、（２）が成立する。
Ｌｓｍ＜Ｌｓｓ  ・・・（１）
Ｌｌｍ＜Ｌｌｓ  ・・・（２）
【００３４】
保持部Ｐｒ１は、吸水シートＳａ１の端部Ｅｓａが設置面Ｓｂに対向するように折り曲げられた状態で、吸水シートＳａ１の端部Ｅｓａ（シート縁部Ｓｐｒ）をスリット部Ｓに挿入可能な位置に配設される。具体的には、保持部Ｐｒ１は、設置面Ｓｂ上に、スリット部Ｓの中心とマット部Ｐｍ１の外縁との距離が、シート縁幅Ｌｐｒより小さくなるように設けられる。
【００３５】
吸水シート保持マットＭ１においては、保持部Ｐｒ１がマット部Ｐｍ１の各長辺Ｌｌｍに沿って３個ずつ、合計６個設けられている。６個の保持部Ｐｒ１のうち４個の保持部Ｐｒ１は、マット部Ｐｍ１の長辺Ｌｌｍの端部に設けられている。残りの２個の保持部Ｐｒ１はそれぞれ、各長辺Ｌｌｍの略中央に設けられている。吸水シートＳａ１の２つの長辺Ｌｌｓはそれぞれ、マット部Ｐｍ１の対応する長辺Ｌｌｍに設けられた保持部Ｐｒ１に保持される。吸水シートＳａ１の２つの短辺Ｌｓｓは、マット部Ｐｍ１の四隅に設けられた保持部Ｐｒ１のスリット部Ｓに挿入されて保持されることができる。あるいは、吸水シートＳａ１の短辺Ｌｓｓは、設置面Ｓｂと吸水シート保持マットＭ１が設置される場所との間に挟まれるように設置されてもよい。
なお保持部Ｐｒ１は、マット部Ｐｍ１の短辺Ｌｓｍに沿う所定の位置に設けてもよく、長辺Ｌｌｍ及び短辺Ｌｓｍに沿って設けてもよい。
【００３６】
保持部Ｐｒ１の外観は略円柱形状であり、設置面Ｓｂから所定の高さｔ２（図１）だけ略垂直方向に立ちあがっている。保持部Ｐｒ１の上面Ｓｒｕには、吸水シートＳａ１の一部が挿入されるスリット部Ｓと、溝部Ｇｒ１とが形成されている。
【００３７】
図３及び図４を参照して、保持部Ｐｒ１、スリット部Ｓ、及び溝部Ｇｒ１の形状について詳述する。図３は図２（ｂ）において右下に位置する保持部Ｐｒ１の拡大平面図であって、ペット用吸水シート保持マットの保持部の一例を示し、図４は図３において、直線ＩＶ−ＩＶで切った保持部Ｐｒ１の断面構造を示している。
【００３８】
図３及び図４に示される例においては、保持部Ｐｒ１は内径Ｄｉ、外径Ｄｏ、及び高さｔ２で規定され、円筒状に形成された周壁Ｗｒと、上面Ｓｒｕとを含む。保持部Ｐｒ１の内径Ｄｉは、人（吸水シート保持マットＭ１のユーザ）の指が入る程度の大きさであればよい。本実施の形態において、保持部Ｐｒ１の内径Ｄｉは２４ｍｍ、外径Ｄｏは３０ｍｍに設定されている。
【００３９】
保持部Ｐｒ１の上面Ｓｒｕには、上述のようにスリット部Ｓが形成されている。スリット部Ｓは互いに交差する３本のスリットＳＬ１、ＳＬ２、及びＳＬ３からなる。スリットＳＬ１、ＳＬ２、及びＳＬ３によって、上面Ｓｒｕにおいて、６枚の爪Ｐｓｒｕが規定されている。スリットＳＬ１、ＳＬ２、及びＳＬ３の長さは２２ｍｍに設定され、且つ幅は０．５ｍｍ〜１ｍｍ程度に設定されている。各スリット両端の端部Ｐｅｓは、所定の曲率半径を有する円弧形状に形成されている。
【００４０】
保持部Ｐｒ１の上面Ｓｒｕには、スリット部Ｓに加えて、隣接する２本のスリットの端部Ｐｅｓ間に延在する溝を有する溝部Ｇｒ１が形成されている。図３に示す例においては、隣接する３本のスリットＳＬ１、ＳＬ２、及びＳＬ３の端部Ｐｅｓ間に２本の溝Ｇｒ１ａ及びＧｒ１ｂが形成されている。つまり、溝部Ｇｒ１は、溝Ｇｒ１ａ及び溝Ｇｒ１ｂを含み、溝Ｇｒ１ａの端部と溝Ｇｒ１ｂの端部とは隣接している。溝Ｇｒ１ａは、スリットＳＬ１のマット部Ｐｍ１の中央寄りの端部Ｐｅｓの近傍から、スリットＳＬ２のマット部Ｐｍ１の中央寄りの端部Ｐｅｓの近傍にわたって形成されている。溝Ｇｒ１ｂは、スリットＳＬ２のマット部Ｐｍ１の中央寄りの端部Ｐｅｓの近傍から、当該端部Ｐｅｓに近接するスリットＳＬ３の端部Ｐｅｓの近傍にわたって形成されている。溝部Ｇｒ１（溝Ｇｒ１ａ及び溝Ｇｒ１ｂ）の幅は０．５ｍｍ〜２ｍｍ程度、深さは０．５ｍｍ〜２ｍｍ程度に設定されている。図４から見て取れるように溝部Ｇｒ１（溝Ｇｒ１ｂ）の断面形状は矩形状である。
【００４１】
保持部Ｐｒ１の上面Ｓｒｕにおいて規定されている６枚の爪Ｐｓｒｕのうち、マット部Ｐｍ１の中央寄りに位置する２枚の爪Ｐｓｒｕの根元（固定端側）に、溝Ｇｒ１ａあるいは溝Ｇｒ１ｂが形成されている。根元に溝が形成されている２枚の爪Ｐｓｒｕ（以下、溝有り爪Ｐｓｒｕａ）は、溝部Ｇｒ１により他の４枚の爪Ｐｓｒｕ（以下、溝無し爪Ｐｓｒｕｂ）に比べて、マット部Ｐｍ１に対して垂直な方向（載置面Ｓｔ側及び設置面Ｓｂ側）への変位が容易である。
これにより、ユーザの意思による吸水シートＳａ１の端部Ｅｓａの保持部Ｐｒ１に対する脱着を容易にしている。一方、装着された吸水シートＳａ１が床などに載置された使用状態においては、ユーザの意に反する不慮の脱着が防止される。
【００４２】
さらに、マット部Ｐｍ１における溝部Ｇｒ１の位置及び姿勢について述べる。図３に示すように、マット部Ｐｍ１の多角形輪郭において保持部Ｐｒ１が隣接する、互いに所定の角度θで交差する連続する２辺をそれぞれ、第１の辺（長辺Ｌｌｍ）及び第２の辺（短辺Ｌｓｍ）とすると、溝部Ｇｒ１の中心点とスリット部Ｓの中心とを結ぶスリット部−溝部間線分Ｌｓｇが第１の辺Ｌｌｍ及び第２の辺Ｌｓｍに対してなす角度は０°〜θ°の範囲である。なお、図３に示す例においては、マット部Ｐｍ１は上述のように矩形であるので所定の角度θは９０°であるが、実際の多角形形状によって任意に定まることは言うまでもない。また、溝部Ｇｒ１は、保持部Ｐｒ１の上面Ｓｒｕにおいて、マット部Ｐｍ１の求心側に位置している。これらの特徴により、マット部Ｐｍ１はさらに、ユーザの意思に沿う容易な吸水シートＳａ１の脱着と、意に反する脱落を防止できる。これについて、以下に詳述する。
【００４３】
吸水シートＳａ１の端部Ｅｓａがスリット部Ｓに挿入される際には、２枚の溝有り爪Ｐｓｒｕａは設置面Ｓｂ側の空間に向かって変形しやすい。これにより、マット部Ｐｍ１を手に持った状態或いは床の上に載置した状態であっても、ユーザーは容易に端部Ｅｓａをスリット部Ｓに挿入して、吸水シートＳａ１を保持部Ｐｒ１に取り付けることができる。一方、吸水シートＳａ１が取り付けられたマット部Ｐｍ１は、保持部Ｐｒ１の爪Ｐｓｒｕが吸水シート保持マットＭ１が設置される場所に接している。ペットが吸水シートＳａ１を引っ張ったりすると、爪Ｐｓｒｕに対して下向き（床面側）に変形させようとする力が掛かる。しかし、マット部Ｐｍ１の自重及びペットの体重による床面の押しつけ力によって、爪Ｐｓｒｕの下向きの変形が抑制される。
【００４４】
なお、溝有り爪Ｐｓｒｕａは溝部Ｇｒ１のために、溝無し爪Ｐｓｒｕｂに比べて変形しやすい。つまり、吸水シートＳａ１が抜けやすいとも言える。溝有り爪Ｐｓｒｕａは、ペットによる吸水シートＳａ１を抜こうとする力が働きにくい位置に設けられることが好ましい。そのために、本実施の形態においては、溝部Ｇｒ１はマット部Ｐｍ１の中央寄り（求心側）に配置されていると共に、スリット部―溝部間線分Ｌｓｇがマット部Ｐｍ１の長辺Ｌｌｍ及び短辺Ｌｓｍに対してなす角度がθ以下になるように設けられている。さらに、溝部Ｇｒ１がマット部Ｐｍ１の中心寄り（求心側）に位置することにより、吸水シートＳａ１の挿入方向での抵抗力に比べて、離脱方向への抵抗力が大きい。これにより、ユーザの吸水シートＳａ１の保持部Ｐｒ１（スリット部Ｓ）への挿入作業が容易である。
【００４５】
吸水シートＳａ１の吸水シート保持マットＭ１への取り付けにあたっては、吸水シートＳａ１の裏面が載置面Ｓｔに対向した状態で、吸水シートＳａ１の端部Ｅｓａを保持部Ｐｒ１のスリット部Ｓに挿入し載置面Ｓｔに向けて押し込む。つまり、吸水シートＳａ１の端部Ｅｓａと共にスリット部Ｓに挿入されるユーザの指は吸水シートＳａ１の裏面に当接する。スリット部Ｓに挿入された端部Ｅｓａをマット部Ｐｍ１の外縁側に向けて斜め方向に押し込むと、吸水シートＳａ１を吸水シート保持マットＭ１に取り付けやすい。
【００４６】
上面Ｓｒｕにおいて、マット部Ｐｍ１の中央寄りに位置する２枚の溝有り爪Ｐｓｒｕａが載置面Ｓｔ側に変位しやすく構成されることにより、吸水シートＳａ１の端部Ｅｓａをスリット部Ｓに挿入した時に溝有り爪Ｐｓｒｕａが載置面Ｓｔ側に変位し、２枚の溝有り爪Ｐｓｒｕａの上面と４枚の溝無し爪Ｐｓｒｕｂの下面との間に空間が形成される。そのため、吸水シートＳａ１の端部Ｅｓａを、溝無し爪Ｐｓｒｕｂが設けられているマット部Ｐｍ１の外縁側に向けて容易に押し込むことができる。
【００４７】
スリット部Ｓに押し込まれた吸水シートＳａ１の端部Ｅｓａは、２枚の溝有り爪Ｐｓｒｕａの上面と４枚の溝無し爪Ｐｓｒｕｂの下面との間に挟まれて係止される。吸水シートＳａ１の端部Ｅｓａに、マット部Ｐｍ１の載置面Ｓｔに略平行な方向の力が働いても、円筒形の周壁Ｗｒによって構造強度が与えられている爪Ｐｓｒｕとの摩擦及び噛み込みによって、吸水シートＳａ１がスリット部Ｓから抜けにくい。
【００４８】
図２及び図３に示す例において、スリット部Ｓと溝部Ｇｒ１とは、スリット部Ｓの中心点と溝部Ｇｒ１の中心点とを結ぶ直線（以下、「スリット部−溝部間線分」）Ｌｓｇがマット部Ｐｍ１の短辺Ｌｓｍに略平行となるように形成されている。しかしながら、スリット部Ｓ及び溝部Ｇｒ１の配置は、図２及び図３に示す例に限定されず、溝部Ｇｒ１がマット部Ｐｍ１の中央寄り（求心側）に配置されていればよい。具体的には、スリット部Ｓ及び溝部Ｇｒ１は、スリット部−溝部間線分Ｌｓｇが、マット部Ｐｍ１の短辺Ｌｓｍに略平行となる位置（図２及び図３）と、マット部Ｐｍ１の長辺Ｌｌｍに略平行となる位置（不図示）との間に位置する範囲で任意の位置に形成できる。なお、吸水シートＳａ１の保持部Ｐｒ１による均等な保持の観点からは、マット部Ｐｍ１の四隅に設けられた保持部Ｐｒ１は、スリット部−溝部間線分Ｌｓｇがマット部Ｐｍ１の対角線に略平行になるように配置されることが好ましい。
なお、溝部Ｇｒ１（溝Ｇｒ１ａ及び溝Ｇｒ１ｂ）の断面形状は矩形状に限定されず、Ｖ字状やＵ字状であってもよい。
【００４９】
さらに、爪Ｐｓｒｕの下面には、スリットＳＬ１、ＳＬ２、及びＳＬ３の端部Ｐｅｓと周壁Ｗｒとの間に、所定の高さを有する環状のステップ（不図示）を設けてもよい。爪Ｐｓｒｕの下面に環状のステップを設けることにより、周壁Ｗｒと爪Ｐｓｒｕの根元（周囲）との間の板圧が増し、保持部Ｐｒ１の構造強度が向上する。
【００５０】
保持部Ｐｒ１は可撓性を有する素材で構成されているので、スリットＳＬ１、ＳＬ２、及びＳＬ３からなるスリット部Ｓに対して、ユーザは容易に吸水シートＳａ１の端部Ｅｓａを挿入できる。吸水シートＳａ１の端部Ｅｓａと複数の爪Ｐｓｒｕとの間に摩擦力が働くことにより、吸水シートＳａ１は上面Ｓｒｕによって保持される。なお、各スリットＳＬ１、ＳＬ２、及びＳＬ３の端部Ｐｅｓは所定の曲率半径を有する円弧形状に形成されているので、吸水シートＳａ１の着脱を繰り返しても、保持部Ｐｒ１の爪Ｐｓｒｕの根元での断裂が生じにくい。
【００５１】
保持部Ｐｒ１の形状（つまり、周壁Ｗｒ）は円筒形状に限定されず、スリット部及び溝部が形成された上面と、上面を支持する側壁とを備えていればよい。後ほど図７を参照して説明するように、保持部Ｐｒ１は四角柱等の多角形柱状に形成してもよい。
【００５２】
また、スリット部Ｓを構成するスリットの本数は３本に限定されず、スリット部Ｓが複数の爪Ｐｓｒｕによって吸水シートＳａ１を保持できればよい。つまり、スリット部Ｓを構成するスリットは、少なくとも１本あればよい。スリットの本数の最大値は、上面Ｓｒｕの材質及び必要強度に基づいて適宜決定される。
【００５３】
また、溝部Ｇｒ１を構成する溝の本数は２本に限定されず、溝有り爪Ｐｓｒｕａの上面と溝無し爪Ｐｓｒｕｂの下面との間に吸水シートＳａ１の端部Ｅｓａを容易に保持することができればよい。つまり、溝部Ｇｒ１を構成する溝は、少なくとも１本あればよい。溝の本数の最大値は、上面Ｓｒｕの材質及び必要強度に基づいて適宜決定される。
【００５４】
上述の構成を有する吸水シート保持マットＭ１は、ペットの収容や搬送に用いられるボックス状の搬送具である所謂キャリー内に設置されて使用されるのが好適である。図５に、吸水シート保持マットＭ１がキャリーＣａ内に載置された状態を示す。吸水シートＳａ１が取り付けられた吸水シート保持マットＭ１は、載置面Ｓｔを上にしてキャリーＣａの内底面上に載置される。吸水シートＳａ１の端部Ｅｓａが、設置面ＳｂとキャリーＣａの内底面との間に挟まれているため、ペットの尿がキャリーＣａの内壁にかかった場合でも内壁を流れ落ちる尿は吸水シートＳａ１の端部Ｅｓａに吸収される。また、上述したように吸水シート保持マットＭ１は可撓性を有する素材で構成されているため、キャリーＣａの内部への設置が容易である。さらに、可撓性を有するマット部Ｐｍ１はキャリーＣａの内面（内底面及び内壁）に沿うので、マット部Ｐｍ１の外形状より小さい内底面を備えるキャリーＣａにも適用することができる。
【００５５】
次に、図６、図７、図８、図９、及び図１０を順次参照して、保持部Ｐｒ１の変形例について説明する。
まず、図６を参照して、保持部Ｐｒ１の第１の変形例について説明する。本変形例に係る保持部Ｐｒ１ａ、Ｐｒ１ｂ、Ｐｒ１ｃ、Ｐｒ１ｄ、及びＰｒ１ｅはそれぞれ、上面Ｓｒｕに形成されたスリット部の形状または溝部の形状を除いて、図３に示す保持部Ｐｒ１と同様に構成されている。以降、スリット部の形状及び溝部の形状に関して重点的に述べる。
【００５６】
図６（ａ）に示す保持部Ｐｒ１ａは、溝部が１本の溝Ｇｒ１ａから構成されている点を除いて、保持部Ｐｒ１（図３）と同様に構成されている。保持部Ｐｒ１ａのスリット部Ｓ及び溝Ｇｒ１ａは、溝Ｇｒ１ａを二等分するスリット部−溝部間線分Ｌｓｇａが、保持部Ｐｒ１におけるスリット部−溝部間線分Ｌｓｇ（図３）と同様に、マット部Ｐｍ１の短辺Ｌｓｍに略平行となる位置（図２及び図３）と、マット部Ｐｍ１の長辺Ｌｌｍに略平行となる位置（不図示）との間に位置する範囲で任意の位置に形成できる。
【００５７】
図６（ｂ）に示す保持部Ｐｒ１ｂは、スリット部Ｓがスリット部ＳＬｂに交換されている点を除いて、保持部Ｐｒ１ａ（図６（ａ））と同様に構成されている。スリット部ＳＬｂは、スリット部Ｓと同様に互いに交差する３本のスリットからなり、スリットＳＬ１、ＳＬ２、及びＳＬ４からなる。スリットＳＬ１及びＳＬ２が略直線状であるのに対し、スリットＳＬ４は、折れ線状である。保持部Ｐｒ１ｂのスリット部ＳＬｂ及び溝Ｇｒ１ａは、溝Ｇｒ１ａを二等分するスリット部−溝部間線分Ｌｓｇｂが、マット部Ｐｍ１の短辺Ｌｓｍに略平行となる位置と、マット部Ｐｍ１の長辺Ｌｌｍに略平行となる位置との間に位置する範囲で任意の位置に形成できる。
【００５８】
図６（ｃ）に示す保持部Ｐｒ１ｃは、スリット部Ｓがスリット部ＳＬｃに交換されている点を除いて、保持部Ｐｒ１（図３）と同様に構成されている。スリット部ＳＬｃは、スリット部Ｓと同様に互いに交差する３本のスリットからなり、スリットＳＬ２、ＳＬ５、及びＳＬ６からなる。スリットＳＬ２が略直線状であるのに対し、スリットＳＬ５及びＳＬ６は、折れ線状である。保持部Ｐｒ１ｃのスリット部ＳＬｃ及び溝部Ｇｒ１は、溝部Ｇｒ１を二等分するスリット部−溝部間線分Ｌｓｇｃが、マット部Ｐｍ１の短辺Ｌｓｍに略平行となる位置と、マット部Ｐｍ１の長辺Ｌｌｍに略平行となる位置との間に位置する範囲で任意の位置に形成できる。
【００５９】
図６（ｄ）に示す保持部Ｐｒ１ｄは、溝部が３本の溝から構成されている点、及びスリット部Ｓがスリット部ＳＬｄに交換されている点を除いて、保持部Ｐｒ１（図３）と同様に構成されている。溝部は、溝Ｇｒ１ａ、Ｇｒ１ｂ、及びＧｒ１ｃから構成されている。スリット部ＳＬｄは、互いに交差する３本のスリットＳＬ１、ＳＬ２、及びＳＬ３と、スリットＳＬ７及びＳＬ８とを含む。スリットＳＬ７及びＳＬ８はそれぞれ、その端部の一方がスリットＳＬ３と連通している。スリットＳＬ７はスリットＳＬ１と略平行であり、スリットＳＬ８はスリットＳＬ２と略平行である。保持部Ｐｒ１ｄのスリット部ＳＬｄ及び溝Ｇｒ１ａ、Ｇｒ１ｂ、及びＧｒ１ｃは、溝Ｇｒ１ａを二等分するスリット部−溝部間線分Ｌｓｇｄが、マット部Ｐｍ１の短辺Ｌｓｍに略平行となる位置と、マット部Ｐｍ１の長辺Ｌｌｍに略平行となる位置との間に位置する範囲で任意の位置に形成できる。
【００６０】
図６（ｅ）に示す保持部Ｐｒ１ｅは、溝Ｇｒ１ａが溝Ｇｒ１ｅに交換されている点、及びスリット部Ｓがスリット部ＳＬｅに交換されている点を除いて、保持部Ｐｒ１ａ（図６（ａ））と同様に構成されている。スリット部ＳＬｅは、互いに交差する２本のスリットＳＬ９及びＳＬ１０と、スリットＳＬ１１及びＳＬ１２とを含む。スリットＳＬ１１は折れ線状であり、その端部の一方がスリットＳＬ９と連通している。スリットＳＬ１２も折れ線状であり、その端部の一方がスリットＳＬ１０と連通している。保持部Ｐｒ１ｅのスリット部ＳＬｅ及び溝Ｇｒ１ｅは、溝Ｇｒ１ｅを二等分するスリット部−溝部間線分Ｌｓｇｅが、マット部Ｐｍ１の短辺Ｌｓｍに略平行となる位置と、マット部Ｐｍ１の長辺Ｌｌｍに略平行となる位置との間に位置する範囲で任意の位置に形成できる。
【００６１】
次に、図７を参照して、保持部Ｐｒ１の第２の変形例について説明する。本変形例に係る保持部Ｐｒ１ｆ、Ｐｒ１ｇ、Ｐｒ１ｈ、Ｐｒ１ｉ、及びＰｒ１ｊはそれぞれ、四角柱状の形状を有する。スリット部及び溝部が形成された上面と、上面を支持する側壁とを備える点は、保持部Ｐｒ１（図３）、及び保持部Ｐｒ１ａ、Ｐｒ１ｂ、Ｐｒ１ｃ、Ｐｒ１ｄ、及びＰｒ１ｅ（図６）と同様である。
【００６２】
なお、円筒形状の保持部Ｐｒ１（図３）がマット部Ｐｍ１の長辺Ｌｌｍの端部、及び長辺Ｌｌｍの略中央に設けられている（図２）のに対し、本変形例に係る保持部Ｐｒ１ｆ、Ｐｒ１ｇ、Ｐｒ１ｈ、Ｐｒ１ｉ、及びＰｒ１ｊはそれぞれ、マット部Ｐｍ１の長辺Ｌｌｍ（あるいは短辺Ｌｓｍ）の略中央に設けられる。
【００６３】
図７（ａ）に示す保持部Ｐｒ１ｆは、隅丸長方形状の上面Ｓｒｕｆと、上面Ｓｒｕｆを支持する側壁Ｗｒｆとを備える。上面Ｓｒｕｆには、スリット部ＳＬｆ及び溝Ｇｒ１ｆが形成されている。スリット部ＳＬｆは、折れ線状のスリットＳＬ１３からなる。
【００６４】
図７（ｂ）に示す保持部Ｐｒ１ｇは、溝Ｇｒ１ｆが溝Ｇｒ１ｇに交換されている点、及びスリット部ＳＬｆがスリット部ＳＬｇに交換されている点を除いて、保持部Ｐｒ１ｆ（図７（ａ））と同様に構成されている。スリット部ＳＬｇは、スリットＳＬ１３と、スリットＳＬ１４及びＳＬ１５とを含む。スリットＳＬ１４及びＳＬ１５はそれぞれ、その端部の一方がスリットＳＬ１３と連通している。
【００６５】
図７（ｃ）に示す保持部Ｐｒ１ｈは、溝Ｇｒ１ｇが溝Ｇｒ１ｈに交換されている点、及びスリット部ＳＬｇがスリット部ＳＬｈに交換されている点を除いて、保持部Ｐｒ１ｇ（図７（ｂ））と同様に構成されている。スリット部ＳＬｈは、２本の直線状のスリットＳＬ１６及びＳＬ１７と、２本の折れ線状のスリットＳＬ１８及びＳＬ１９とを含む。スリットＳＬ１８は、その端部の一方がスリットＳＬ１６と連通している。スリットＳＬ１９は、その端部の一方がスリットＳＬ１７と連通している。
【００６６】
図７（ｄ）に示す保持部Ｐｒ１ｉは、隅丸長方形状の上面Ｓｒｕｉと、上面Ｓｒｕｉを支持する側壁Ｗｒｉとを備える。上面Ｓｒｕｉには、スリット部ＳＬｉ及び溝Ｇｒ１ｉが形成されている。スリット部ＳＬｉは、４本の直線状のスリットＳＬ２０、ＳＬ２１、ＳＬ２２、及びＳＬ２３と、２本の折れ線状のスリットＳＬ２４及びＳＬ２５とを含む。スリットＳＬ２２及びＳＬ２４はそれぞれ、その端部の一方がスリットＳＬ２０と連通している。スリットＳＬ２３及びＳＬ２５はそれぞれ、その端部の一方がスリットＳＬ２１と連通している。
【００６７】
図７（ｅ）に示す保持部Ｐｒ１ｊは、溝Ｇｒ１ｉが溝Ｇｒ１ｊに交換されている点、及びスリット部ＳＬｉがスリット部ＳＬｊに交換されている点を除いて、保持部Ｐｒ１ｉ（図７（ｄ））と同様に構成されている。スリット部ＳＬｊは、互いに交差する２本の直線状のスリットＳＬ２６及びＳＬ２７と、２本の折れ線状のスリットＳＬ２８及びＳＬ２９とを含む。スリットＳＬ２８は、その端部の一方がスリットＳＬ２６と連通している。スリットＳＬ２９は、その端部の一方がスリットＳＬ２７と連通している。
【００６８】
第２の変形例に係る保持部Ｐｒ１ｆ、Ｐｒ１ｇ、Ｐｒ１ｈ、Ｐｒ１ｉ、及びＰｒ１ｊそれぞれのスリット部及び溝は、上述の第１の変形例と同様に、溝Ｇｒ１ｆ、Ｇｒ１ｇ、Ｇｒ１ｈ、Ｇｒ１ｉ、及びＧｒ１ｊを二等分する線（不図示）がマット部Ｐｍ１の短辺Ｌｓｍに略平行となる位置（図２及び図３）と、マット部Ｐｍ１の長辺Ｌｌｍに略平行となる位置（不図示）との間に位置する範囲で任意の位置に形成できる。
【００６９】
次に、図８を参照して、保持部Ｐｒ１の第３の変形例について説明する。本変形例に係る保持部Ｐｒ１ｋは、スリット部Ｓがスリット部ＳＬｋに交換されている点、及び上面Ｓｒｕに溝部に代えて切欠Ｎｏが形成されている点を除いて、図３に示す保持部Ｐｒ１と同様に構成されている。
【００７０】
スリット部ＳＬｋは、３本の直線状のスリットＳＬ３０、ＳＬ３１、及びＳＬ３２を含む。上面Ｓｒｕにおいて、スリットＳＬ３０の延長線とスリットＳＬ３２の延長線との間に、略扇形状の切欠Ｎｏが形成されている。切欠Ｎｏと、スリットＳＬ３０、ＳＬ３１、及びＳＬ３２とによって、上面Ｓｒｕにおいて、４枚の爪Ｐｓｒｕが規定されている。保持部Ｐｒ１ｋのスリット部ＳＬｋ及び切欠Ｎｏは、切欠Ｎｏを二等分する線（不図示）がマット部Ｐｍ１の短辺Ｌｓｍに略平行となる位置（図２及び図３）と、マット部Ｐｍ１の長辺Ｌｌｍに略平行となる位置（不図示）との間に位置する範囲で任意の位置に形成できる。
【００７１】
次に、図９及び図１０を参照して、保持部Ｐｒ１の第４の変形例について説明する。本変形例に係る保持部Ｐｒ１ｌは、上面Ｓｒｕに切欠Ｎｏに代えて凹面Ｃｏが形成されている点を除いて、図８に示す保持部Ｐｒ１ｋと同様に構成されている。
【００７２】
上面Ｓｒｕにおいて、スリットＳＬ３０の延長線とスリットＳＬ３２の延長線との間の略扇形状の領域は、爪Ｐｓｒｕの下面に向かって湾曲して凹面Ｃｏが形成されている。図１０は図９において、直線Ｘ−Ｘで切った保持部Ｐｒ１ｌの断面構造を示している。保持部Ｐｒ１ｌのスリット部ＳＬｋ及び凹面Ｃｏは、凹面Ｃｏを二等分する線（図９においては、直線Ｘ−Ｘに相当）がマット部Ｐｍ１の短辺Ｌｓｍに略平行となる位置（図２及び図３）と、マット部Ｐｍ１の長辺Ｌｌｍに略平行となる位置（不図示）との間に位置する範囲で任意の位置に形成できる。
【００７３】
なお、上述した保持部Ｐｒ１の第１の変形例（図６）、第２の変形例（図７）、第３の変形例（図８）、及び第４の変形例（図９及び図１０）は、本明細書の実施の形態のいずれにおいても用いることができる。また、保持部Ｐｒ１（図３）及び保持部Ｐｒ１の第１〜第４の変形例のいずれかを組み合わせて用いてもよい。
【００７４】
（実施の形態２）
以下に図１１を参照して、本発明の実施の形態２に係る吸水シート保持マットについて説明する。吸水シート保持マットＭ２は、マット部Ｐｍ１及び保持部Ｐｒ１（図２）がそれぞれマット部Ｐｍ２及び保持部Ｐｒ２に置き換えられる点を除いて上述の吸水シート保持マットＭ１（図２）と同様に構成されている。以降、マット部Ｐｍ２及び保持部Ｐｒ２に関して重点的に述べる。
【００７５】
マット部Ｐｍ２は、上述のマット部Ｐｍ１の設置面Ｓｂの辺縁から概ね垂直方向に所定の高さＨ１だけ立ちあがるマット縁部Ｒｍが一体的に設けられている。このようにして、マット部Ｐｍ２は設置面Ｓｂを底部とし、マット縁部Ｒｍを周壁とする浅鍋状に形成されている。
【００７６】
マット部Ｐｍ２は、マット部Ｐｍ１にマット縁部Ｒｍを接着して作成しても良いが、マット部Ｐｍ１とマット縁部Ｒｍとが一体的に成形されることが好ましい。マット部Ｐｍ２において、マット縁部Ｒｍは、Ｈ１＝ｔ２の関係を満たすように構成されている。
【００７７】
保持部Ｐｒ２は、マット縁部Ｒｍと一体的に形成されている点を除いて、保持部Ｐｒ１と同様に構成されている。具体的には、保持部Ｐｒ２とマット縁部Ｒｍとは、それぞれの周壁の一部を共有するように構成されている。保持部Ｐｒ２は、４個の保持部Ｐｒ２ａと２個の保持部Ｐｒ２ｂとを含む。４個の保持部Ｐｒ２ａはそれぞれ、マット部Ｐｍ２の各長辺Ｌｌｍの端部に設けられている。２個の保持部Ｐｒ２ｂはそれぞれ、マット部Ｐｍ２の各長辺Ｌｌｍの略中央に設けられている。
【００７８】
図１１に見て取れるように、保持部Ｐｒ２ａは、マット部Ｐｍ２の長辺Ｌｌｍのマット縁部Ｒｍ、及び短辺Ｌｓｍのマット縁部Ｒｍと一体的に形成されている。保持部Ｐｒ２ｂは、マット部Ｐｍ２の長辺Ｌｌｍのマット縁部Ｒｍと一体的に形成されている。保持部Ｐｒ２ａの上面Ｓｒｕ２ａ及び保持部Ｐｒ２ｂの上面Ｓｒｕ２ｂにはそれぞれ、保持部Ｐｒ１と同様に、スリット部Ｓと溝部Ｇｒ１とが形成されている。
【００７９】
（実施の形態３）
以下に図１２を参照して、本発明の実施の形態３に係る吸水シート保持マットについて説明する。吸水シート保持マットＭ３は、マット部Ｐｍ２及びマット縁部Ｒｍ（図１１）がそれぞれマット部Ｐｍ３及びマット縁部Ｒｍ３に置き換えられる点を除いて上述の吸水シート保持マットＭ２（図１１）と同様に構成されている。以降、マット部Ｐｍ３及びマット縁部Ｒｍ３に関して重点的に述べる。
【００８０】
マット部Ｐｍ３は、その外形状を除いて、マット部Ｐｍ２と同様に構成されている。簡単に言えば、マット部Ｐｍ２が矩形状であるのに対し、マット部Ｐｍ３は凹多角形状である。つまり、マット部Ｐｍ３は、矩形状のマット部Ｐｍ２の一部が切り取られた形状を有する。図１２に示す例においては、マット部Ｐｍ３は、矩形状のマット部Ｐｍ２の一方の短辺Ｌｓｍ（二点鎖線で表示）側が台形状に切り欠かれた凹六角形状である。
マット縁部Ｒｍ３は、凹六角形状のマット部Ｐｍ３の設置面Ｓｂの辺縁から概ね垂直方向に所定の高さＨ１だけ立ちあがるように、マット部Ｐｍ３に一体的に設けられている。
【００８１】
上記のように構成されたマット部Ｐｍ３において、切り欠きが形成された短辺側に、辺Ｌｓｍｃと、辺Ｌｓｍｃの端点と保持部Ｐｒ２ａの周壁とを連結する一組の辺Ｌｓｌとによって規定される空間Ｐｃｏが形成されている。言い換えると、２個の保持部Ｐｒ２ａは空間Ｐｃｏを挟んで対向している。
【００８２】
上述の構成を有する吸水シート保持マットＭ３は、吸水シート保持マットＭ１（図２）及びＭ２（図１１）と同様に、キャリー内に設置されて使用されるのが好適である。吸水シート保持マットＭ３をキャリーＣａ（図５）内に設置する際は、辺ＬｓｍｃがキャリーＣａの出入り口から遠くなるように、吸水シート保持マットＭ３をキャリーＣａの内底面上に載置することが好ましい。
【００８３】
キャリーＣａの内底面の輪郭がマット部Ｐｍ３の外形状より小さい場合は、マット部Ｐｍ３は曲げられて、辺Ｌｓｍｃ側の２個の保持部Ｐｒ２ａはキャリーＣａの内壁に沿った状態で設置される。これらの保持部Ｐｒ２ａ及びＰｒ２ａの間に空間Ｐｃｏが設けられていることによって、曲げられた吸水シート保持マットＭ３は、キャリーＣａの内壁に沿った状態で安定して設置される。さらに、空間Ｐｃｏが設けられていることによって、吸水シート保持マットＭ３に取り付けられた吸水シートＳａ１にしわが生じることが抑制される。なお、マット部Ｐｍ３の短辺ではなく長辺Ｌｌｍに切り欠きを形成してもよい。
【００８４】
（実施の形態４）
以下に図１３、図１４、及び図１５を参照して、本発明の実施の形態４に係る吸水シート保持マットについて説明する。吸水シート保持マットＭ４は、マット部Ｐｍ３（図１２）がマット部Ｐｍ４に置き換えられる点を除いて上述の吸水シート保持マットＭ３（図１２）と同様に構成されている。本実施の形態に於けるマット部Ｐｍ４は、簡単に言えば、上述のマット部Ｐｍ３に、設置面Ｓｂから概ね垂直方向に立ちあがる突条Ｒｉが設けられている点に特徴がある。
【００８５】
なお、本明細書の実施の形態のいずれにおいても、上述した保持部Ｐｒ１の第１〜第４の変形例のいずれを用いてもよいことは上述した通りである。本実施の形態における保持部Ｐｒ４は、上面に形成されたスリット部及び溝部の形状を除いて、上述の保持部Ｐｒ２（図１２）と同様に構成されている。保持部Ｐｒ４の上面に形成されたスリット部及び溝部の形状は、上述の保持部Ｐｒ１ｄ（図６（ｄ））の上面に形成されたスリット部ＳＬｄ及び、溝Ｇｒ１ａ、Ｇｒ１ｂ、及びＧｒ１ｃからなる溝部の形状と同様である。さらに、マット部Ｐｍ４の四隅に設けられた保持部Ｐｒ４ａは、スリット部−溝部間線分Ｌｓｇがマット部Ｐｍ４の長辺Ｌｌｍに対して略４５度の角度をなすように配置されている。
【００８６】
以降、マット部Ｐｍ４に関して重点的に述べる。マット部Ｐｍ４は、設置面Ｓｂから概ね垂直方向に所定の高さＨ２（図１４）だけ立ちあがる少なくとも１つの突条Ｒｉが一体的に設けられている。図１３に示す例においては、突条Ｒｉは、所定の角度θ’で互いに交差する複数の突条Ｒｉｌと突条Ｒｉｓとを含む。突条Ｒｉｌはマット部Ｐｍ４の長辺Ｌｌｍに略平行に延在している。突条Ｒｉｓはマット部Ｐｍ４の短辺Ｌｓｍに略平行に延在している。マット部Ｐｍ４にはさらに、マット縁部Ｒｍ３の内周壁と突条Ｒｉとを連結する補強リブＲｂが設けられている。突条Ｒｉは、設置面Ｓｂの、吸水シート保持マットＭ４が設置される場所に対する滑り止めとして機能する。これについては、図１４及び図１５を参照して説明する。
【００８７】
図１４は図１３において、直線ＸＩＶ−ＸＩＶで切った吸水シート保持マットＭ４の断面構造を示している。説明の便宜上、載置面Ｓｔが同図における上側になるように、吸水シート保持マットＭ４の断面構造を示す。図１５は、所定の場所に設置された吸水シート保持マットＭ４を、図１３における直線ＸＩＶ−ＸＩＶに対応する位置で切った、吸水シート保持マットＭ４の断面構造を示している。説明の便宜上、載置面Ｓｔが同図における上側になるように、吸水シート保持マットＭ４の断面構造を示す。
【００８８】
図１４から見てとれるように、突条Ｒｉの高さＨ２はマット縁部Ｒｍ３の高さＨ１より小さい。補強リブＲｂの形状は略三角形であり、図示例においては突条Ｒｉｓに一体的に設けられている。補強リブＲｂは、突条Ｒｉｓの同図における下面とマット縁部Ｒｍ３の内周壁の同図における下端とを連結するように設けられている。
【００８９】
上記のように構成されたマット部Ｐｍ４は、突条Ｒｉと補強リブＲｂとが設けられていることにより、構造強度が向上する。そのため、マット部Ｐｍ４の厚さｔ４は、マット部Ｐｍ１（図２）、Ｐｍ２（図１１）、及びＰｍ３（図１２）の厚さｔ１より小さい値に設定しても、マット部Ｐｍ１、Ｐｍ２、及びＰｍ３と同等の強度を実現することができる。
【００９０】
図１５に、キャリーＣａの内底面Ｓｂｃに載置された吸水シート保持マットＭ４の断面構造を示す。可撓性を有するマット部Ｐｍ４は内底面Ｓｂｃに沿って延在し、マット縁部Ｒｍ３の周壁の同図における下端と、補強リブＲｂの同図における下面と、突条Ｒｉｌ及び突条Ｒｉｓの同図における下面とにおいて、内底面Ｓｂｃに接触する。
【００９１】
マット部Ｐｍ４の内底面Ｓｂｃとの接触面積は、突条及び補強リブが設けられていないマット部Ｐｍ１、Ｐｍ２、及びＰｍ３の内底面Ｓｂｃとの接触面積より小さい。そのため、マット部Ｐｍ４に働く単位接触面積あたりの荷重は、マット部Ｐｍ１、Ｐｍ２、及びＰｍ３に働く単位接触面積あたりの荷重より大きい。マット部Ｐｍ４と内底面Ｓｂｃとの間に働く摩擦力は、マット部Ｐｍ１、Ｐｍ２、及びＰｍ３と内底面Ｓｂｃとの間に働く摩擦力より大きく、マット部Ｐｍ４の内底面Ｓｂｃに対する滑り止めとして機能する。
【００９２】
なお、突条Ｒｉまたは補強リブＲｂは、マット部Ｐｍ１またはＰｍ２に設けてもよいことは言うまでも無い。
【産業上の利用可能性】
【００９３】
本発明は、吸水シートを安定的に保持する吸水シート保持マットに利用できる。
【符号の説明】
【００９４】
Ｍ１、Ｍ２、Ｍ３、Ｍ４、  吸水シート保持マット
Ｐｍ１、Ｐｍ２、Ｐｍ３、Ｐｍ４  マット部
Ｓｔ  載置面
Ｓｂ  設置面
Ｒｍ、Ｒｍ３  マット縁部
Ｐｒ１、Ｐｒ１ａ、Ｐｒ１ｂ、Ｐｒ１ｃ、Ｐｒ１ｄ、Ｐｒ１ｅ、Ｐｒ１ｆ、Ｐｒ１ｇ、Ｐｒ１ｈ、Ｐｒ１ｉ、Ｐｒ１ｊ、Ｐｒ１ｋ、Ｐｒ１ｌ、Ｐｒ２、Ｐｒ２ａ、Ｐｒ２ｂ、Ｐｒ４、Ｐｒ４ａ、Ｐｒ４ｂ  保持部
Ｓｒｕ  上面
Ｓ、ＳＬｂ、ＳＬｃ、ＳＬｄ、ＳＬｅ、ＳＬｆ、ＳＬｇ、ＳＬｈ、ＳＬｉ、ＳＬｊ  スリット部（切り込み）
ＳＬ１、ＳＬ２、ＳＬ３  スリット
Ｐｅｓ  スリットの端部
Ｐｓｒｕ、Ｐｓｒｕａ、Ｐｓｒｕｂ  爪
Ｗｒ  周壁
Ｇｒ１  溝部
Ｇｒ１ａ、Ｇｒ１ｂ  溝
Ｌｓｇ  スリット部−溝部間線分
Ｓａ１  吸水シート
Ｅｓａ  吸水シートの端部
Ｓｐａ  吸水エリア
Ｓｐｒ  シート縁部
Ｓｐｃ  隅部
Ｌｐｒ  シート縁幅
Ｌｓｓ  吸水シートの短辺
Ｌｌｓ  吸水シートの長辺
Ｌｓｍ  マット部の短辺
Ｌｌｍ  マット部の長辺
Ｈ１  マット縁部高
Ｈ２  突条高
Ｎｏ  切欠
Ｃｏ  凹面
Ｒｉ、Ｒｉｌ、Ｒｉｓ  突条
Ｒｂ  補強リブ
Ｄｉ  保持部の内径
Ｄｏ  保持部の外径
Ｃａ  キャリー
【図１】
0005953367.tif 000002
【図２】
0005953367.tif 000003
【図３】
0005953367.tif 000004
【図４】
0005953367.tif 000005
【図５】
0005953367.tif 000006
【図６】
0005953367.tif 000007
【図７】
0005953367.tif 000008
【図８】
0005953367.tif 000009
【図９】
0005953367.tif 000010
【図１０】
0005953367.tif 000011
【図１１】
0005953367.tif 000012
【図１２】
0005953367.tif 000013
【図１３】
0005953367.tif 000014
【図１４】
0005953367.tif 000015
【図１５】
0005953367.tif 000016
【図１６】
0005953367.tif 000017
【図１７】
0005953367.tif 000018
【図１８】
0005953367.tif 000019